(57)【要約】【課題】一人でも簡単に組み立てることができ、しかも樹脂成形の金型が不要であり多品種小ロットの生産にも安価に対応することができる衣類用組立ラックの提供を図る。【解決手段】複数の奥行部材１１、１２、１３、とこれらの奥行部材同士を接続する横部材４１、４２、４５とを備える。上記奥行部材は、前後に配置された複数本の支柱１３、３２と、これらの支柱同士を接続する前後部材１７、１８、１９、２０、２１、２２、３５、３６、３７、３８、３９とを備えたものである。上記横部材は、ハンガー用部材４１、４２と棚用部材４５とを備える。前後部材１８、１９、２１、２２、３６、３７には、上部から下方に向かって凹部が形成され、上記横部材４１、４２、４３の端部には、頭部と軸部とを有する雄ねじ４９が螺合されている。上記凹部に雄ねじ４９の軸部を嵌め合わせて、雄ねじ４９を締めつけて固定する。【選択図】図１
0003164784.tif 000002
【実用新案登録請求の範囲】
【請求項１】
複数の奥行部材と、これらの奥行部材同士を接続する横部材とを備え、
上記奥行部材は、前後に配置された複数本の支柱と、これらの支柱同士を接続する前後部材とを備えたものであり、
上記横部材が、一つの上記奥行部材の上記前後部材と、他の一つの上記奥行部材の上記前後部材との間に左右方向に渡されているものである組立式の収納ラックにおいて、
少なくとも１つの上記前後部材には、上部から下方に向かって凹部が形成され、
上記横部材の両端のうち、少なくとも一方の端には、頭部と軸部とを有する雄ねじが螺合され、
上記凹部に上記軸部を嵌め合わせて、上記雄ねじを締めつけることによって、上記横部材を上記前後部材に固定するものであることを特徴とする衣類用組立ラック。
【請求項２】
少なくとも１つの上記横部材は、ハンガー用部材であり、
上記ハンガー用部材は、パイプから構成され、このパイプに複数の衣類用ハンガーを吊ることができるものであり、このパイプの端部に上記の雄ねじが軸部の一部を露出した状態で螺合されており、
上記露出した軸部を上記凹部に嵌め合わせ、上記雄ねじを締めつけることによって、上記ハンガー用部材を上記前後部材に固定するものであることを特徴とする請求項１記載の衣類用組立ラック。
【請求項３】
少なくとも１つの上記横部材は、上記ハンガー用部材と棚用部材であり、
上記棚用部材は、複数本のパイプから構成され、これらのパイプの上部に被収納物を載せることができるものであり、これらのパイプの端部に上記の雄ねじが軸部の一部を露出した状態で螺合されており、
上記露出した軸部を上記凹部に嵌め合わせ、上記雄ねじを締めつけることによって、上記棚用部材を上記前後部材に固定したことを特徴とする請求項２記載の衣類用組立ラック。
【請求項４】
上記奥行部材は、左奥行部材と右奥行部材とからなる両端奥行部材と、上記左右の両端奥行部材の間に配置された中奥行部材とを備え、
上記両端奥行部材の支柱は、複数本のパイプから構成され、この複数本のパイプが上下に伸縮可能に接続され、床と天井との間に突っ張って取り付け可能であり、
上記棚用部材は、上記左右の両端奥行部材における上記前後部材同士の間に渡されたものであり、
上記中奥行部材の支柱は、複数本のパイプから構成され、左奥行部材及び右奥行部材よりもの支柱よりも短く、上記中奥行部材の上端が上記棚用部材よりも下方に位置しており、
上記ハンガー用部材は、上ハンガー用部材と、上記上ハンガー用部材の下方に配位された下ハンガー用部材とを備え、
上記上ハンガー用部材は上記左右の奥行部材の同士の間に渡され、上記下ハンガー用部材は上記左右の奥行部材のうちの一方と上記中奥行部材との間に渡されたものであること特徴とする請求項３記載の衣類用組立ラック。
【考案の詳細な説明】
【技術分野】
【０００１】
本願考案は、衣類用組立ラックに関するものである。
【背景技術】
【０００２】
従来より、先行技術文献１〜３に示す組立式のラックが知られている。具体的には、複数の奥行部材と、これらの奥行部材同士を接続する横部材とを備え、上記奥行部材は、前後に配置された複数本の支柱と、これらの支柱同士を接続する前後部材とを備えたものであり、上記横部材は、一つの上記奥行部材の上記前後部材と、他の一つの上記奥行部材の上記前後部材との間に左右方向に渡された組立式の収納ラックが知られている。
【０００３】
これらのラックは、通信販売は勿論、店舗販売であっても、出荷段階では、奥行部材と横部材とが別々の状態で出荷され、購入した消費者が家庭等で奥行部材と横部材とを接合するなどの所定の組立作業を行なうことが一般的である。そして、この組立作業において広く用いられているのが、ねじによる締結であり、ドライバーなど、簡単な手動工具があれば、一人でも組み立てられるように工夫されている。
【０００４】
ところが、小さな製品はともかく、１メートル以上の幅のある製品となると、一人では簡単に組み立てることが困難となる。特に、上記の横部材の両端を、奥行部材の上記前後部材に対して固定することで、これらの部材は自立することができるが、固定までの段階では、手で支えていないと倒れてしまう。この固定の手段として、従来の市販品の多くは、ボルト等のおじねを、孔に通して、めねじと螺合するという、ねじによる固定を採用していた。そのため、組立に際しては、奥行部材を立てた状態に支持しつつ、横部材を水平に保ちながら位置合わせし、ねじによる固定を行なう必要があり、一人での作業は極めて困難であった。
特許文献３にあっては、奥行部材の支柱と、前後部材と、横部材とを簡単に結合するためのハンガーパイプ結合具が提案されているが、この結合具は樹脂による成形品であり、成形型を用意する必要があり、種々のデザインのものを小ロットで生産することは困難であった。
【先行技術文献】
【特許文献】
【０００５】
【特許文献１】実用新案登録第３００７４５８号公報
【特許文献２】実用新案登録第３１４１０１１号公報
【特許文献３】実用新案登録第３１４７５７６号公報
【考案の概要】
【考案が解決しようとする課題】
【０００６】
本願考案は、一人でも簡単に組み立てることができ、しかも樹脂成形の金型が不要であり多品種小ロットの生産にも安価に対応することができる衣類用組立ラックの提供を図ることを目的とする。
【課題を解決するための手段】
【０００７】
本願の請求項１の考案は、
複数の奥行部材と、これらの奥行部材同士を接続する横部材とを備え、
上記奥行部材は、前後に配置された複数本の支柱と、これらの支柱同士を接続する前後部材とを備えたものであり、
上記横部材が、一つの上記奥行部材の上記前後部材と、他の一つの上記奥行部材の上記前後部材との間に左右方向に渡されているものである組立式の収納ラックにおいて、
少なくとも１つの上記前後部材には、上部から下方に向かって凹部が形成され、
上記横部材の両端のうち、少なくとも一方の端には、頭部と軸部とを有する雄ねじが螺合され、
上記凹部に上記軸部を嵌め合わせて、上記雄ねじを締めつけることによって、上記横部材を上記前後部材に固定するものであることを特徴とする衣類用組立ラックを提供するものである。
本願の請求項２に係る考案は、
少なくとも１つの上記横部材は、ハンガー用部材であり、
上記ハンガー用部材は、パイプから構成され、このパイプに複数の衣類用ハンガーを吊ることができるものであり、このパイプの端部に上記の雄ねじが軸部の一部を露出した状態で螺合されており、
上記露出した軸部を上記凹部に嵌め合わせ、上記雄ねじを締めつけることによって、上記ハンガー用部材を上記前後部材に固定するものであることを特徴とする請求項１記載の衣類用組立ラックを提供するものである。
本願の請求項３に係る考案は、
少なくとも１つの上記横部材は、上記ハンガー用部材と棚用部材であり、
上記棚用部材は、複数本のパイプから構成され、これらのパイプの上部に被収納物を載せることができるものであり、これらのパイプの端部に上記の雄ねじが軸部の一部を露出した状態で螺合されており、
上記露出した軸部を上記凹部に嵌め合わせ、上記雄ねじを締めつけることによって、上記棚用部材を上記前後部材に固定したことを特徴とする請求項２記載の衣類用組立ラックを提供するものである。
本願の請求項４に係る考案は、
上記奥行部材は、左奥行部材と右奥行部材とからなる両端奥行部材と、上記左右の両端奥行部材の間に配置された中奥行部材とを備え、
上記両端奥行部材の支柱は、複数本のパイプから構成され、この複数本のパイプが上下に伸縮可能に接続され、床と天井との間に突っ張って取り付け可能であり、
上記棚用部材は、上記左右の両端奥行部材における上記前後部材同士の間に渡されたものであり、
上記中奥行部材の支柱は、複数本のパイプから構成され、左奥行部材及び右奥行部材よりもの支柱よりも短く、上記中奥行部材の上端が上記棚用部材よりも下方に位置しており、
上記ハンガー用部材は、上ハンガー用部材と、上記上ハンガー用部材の下方に配位された下ハンガー用部材とを備え、
上記上ハンガー用部材は上記左右の奥行部材の同士の間に渡され、上記下ハンガー用部材は上記左右の奥行部材のうちの一方と上記中奥行部材との間に渡されたものであること特徴とする請求項３記載の衣類用組立ラックを提供するものである。
【考案の効果】
【０００８】
本願考案の衣類用組立ラックは、一人でも簡単に組み立てることができ、多品種小ロットでも安価に製造することができるものである。
本願の請求項２に係る考案は、極めて簡単に組み立てることができるハンガーパイプを備えた衣類用組立ラックを提供することができたものである。
本願の請求項３に係る考案は、極めて簡単に組み立てることができるハンガーパイプとパイプ製の棚を備えた衣類用組立ラックを提供することができたものである。
本願の請求項４に係る考案は、極めて簡単に組み立てることができるハンガーパイプとパイプ製の棚を備えたものであり、しかも、倒れにくく地震などでも安全性の高い衣類用組立ラックを提供することができたものである。
【図面の簡単な説明】
【０００９】
【図１】本願考案の実施の形態に係る衣類用組立ラックの斜視図である。
【図２】（Ａ）は同ラックの組立の最初の工程を示す斜視図であり、（Ｂ）は要部拡大説明図である。
【図３】同ラックの組立の次の工程を示す斜視図である。
【図４】同ラックにカーテンを取り付けた状態を示す斜視図である。
【図５】同ラックを固定する状態を説明するための右奥行部材の側面図である。
【考案を実施するための形態】
【００１０】
以下、図面に基づき本願考案の実施の形態を説明する。
このラックは、多くの衣服用ハンガー（図示せず）を掛けることができると共に、小物等を乗せておくことができる棚を備えたラックである。このラックは、左から左奥行部材１１、中奥行部材３１、右奥行部材１２の各奥行部材を備え、各奥行部材間に下用ハンガー部材４１、上用ハンガー部材４２、棚用部材４５が渡されている。
【００１１】
左奥行部材１１と右奥行部材１２とは、左右対称となっており、その一方の左奥行部材１１について説明するが、この説明は右奥行部材１２についても同様に当てはまる。左奥行部材１１は、前後一対の支柱１３を備える。各支柱１３は、下パイプ１４と上パイプ１５とを上下に接続したものである。上パイプ１５の上端には、中間リング６２を介して、突っ張りパイプ１６が上下に伸縮可能に接続されており、中間リング６２に設けられたネジを緩めて突っ張りパイプ１６の長さ調整をした後、ネジを締めつけて長さの固定を行なう。下パイプ１４の下端と突っ張りパイプ１６の上端には、それぞれ座６１が取り付けられており、床及び天井への接触面積を大きくしている。
【００１２】
前後の支柱１３の間には、複数の前後部材が渡されている。詳しくは、前後の下パイプ１４間には、下から、第１前後部材１７、第２前後部材１８、第３前後部材１９が渡されている。また、前後の上パイプ１５間には、第４前後部材２０、第５前後部材２１、第６前後部材２２が渡されている。このうち、下パイプ１４の下端寄りに渡された第１前後部材１７と、上パイプ１５の下端寄りに渡された第４前後部材２０とは前後を接続して強度を持たせるためのものであり、具体的には、金属製や合成樹脂製等のパイプ材、板材、角材などを用いることができる。第２前後部材１８と第３前後部材１９は下パイプ１４の上部に渡され、第５前後部材２１と第６前後部材２２は上パイプ１５の上部に渡されている。これらは、前後を接続して強度を持たせると共に、下用ハンガー部材４１、上用ハンガー部材４２、棚用部材４５の各横部材が接続されるものである。この接続の構造については、後で詳細に説明する。
【００１３】
次に、中奥行部材３１は、左奥行部材１１と右奥行部材１２との略中間に配置されたものであり、前後に一対の中支柱３２を備える。中奥行部材３１は、中下パイプ３３と中上パイプ３４とを上下に接続したもので、前後の中支柱３２の中下パイプ３３の間には、下から第１中央前後部材３５、第２中央前後部材３６、第３中央前後部材３７が渡され、前後の中支柱３２の中上パイプ３４の間には、第４中央前後部材３８、第５中央前後部材３９が渡されている。このうち、中下パイプ３３の下端間に渡された第１中央前後部材３５と、中上パイプ３４の下端寄りに渡された第４中央前後部材３８とは前後を接続して強度を持たせるためのものであり、具体的には、金属製や合成樹脂製等のパイプ材、板材、角材などを用いることができる。第２中央前後部材３６と第３中央前後部材３７は中下パイプ３３の上部に渡され、前述の第２前後部材１８、第３前後部材１９と同じ高さに設けられている。第５中央前後部材３９は中上パイプ３４の上部に渡されており、前述の第５前後部材２１と同じ高さに配置されている。これらは、前後を接続して強度を持たせると共に、下用ハンガー部材４１、上用ハンガー部材４２の各横部材が接続されるものである。この接続の構造については、後で詳細に説明する。下用ハンガー部材４１と上用ハンガー部材４２の左ハンガーパイプ４３は、上着やスカートなどの上下の長さが比較的短いものを吊ったハンガーを掛けるのに適しており、上用ハンガー部材４２の右ハンガーパイプ４４にはコートなどの上下の長さが比較的長いものを吊ったハンガーを掛けるのに適している。
【００１４】
棚用部材４５は、左棚パイプ４６と右棚パイプ４７とを左右に伸縮可能に接続したものであり、その左右両端は、左奥行部材１１の第６前後部材２２と、右奥行部材１２の第６前後部材２２との間に渡されている。この棚用部材４５は複数本渡されることによって、小物等を置くことが出来る棚を構成するものであり、このようなパイプのみで構成する他、枠体とネットで構成したり、板材で構成するなど、棚として利用出来る形態であれば、適宜変更して実施することができる。
以下、上記の組立順に各部の構成を説明する。
【００１５】
まず、図２（Ａ）に示すように、左奥行部材１１の下半分と中奥行部材３１と下用ハンガー部材４１とを組み付ける。左奥行部材１１は、図１に示す完成時には、床から天井までの高さとなるが、最初に、その下半分を組み付けるもので、前述のように、前後の下パイプ１４間に、第１前後部材１７、第２前後部材１８、第３前後部材１９が渡されて、予め溶接やねじ止めによって、固定されている。第２前後部材１８と第３前後部材１９は、金属製や合成樹脂製の板材で構成され、図２（Ｂ）に示すように、その上辺から下方に向けて凹部２３が形成されている（図２（Ｂ）では第３前後部材１９のみを示したが第２前後部材１８でも同じ構成である）。また、中奥行部材３１の第２中央前後部材３６と第３中央前後部材３７についても、第２前後部材１８及び第３前後部材１９と同じ構成となっている。
【００１６】
この、第３前後部材１９の凹部２３に対して、下用ハンガー部材４１の端部が接続される。この端部には、雄ねじ４８が半分程度の深さまで螺合しており、その軸部５０が露出した状態となっている状態で出荷される。そして、このラックの組立に際しては、軸部５０を、上部開口２４から凹部２３内に嵌め入れて、頭部４９を締め付けて、頭部４９と下用ハンガー部材４１の端面との間に第３前後部材１９を挟んで、固定する。従来であれば、ねじをねじ穴に通す必要があり、しかも、自立性のない左奥行部材１１と中奥行部材３１とが不安定な状態下でその作業を行なう必要があったため、一人でこの作業を行なうことは困難を極めたが、本願では、軸部５０を上から嵌め入れるだけで、仮の固定が完了するため、不安定な状態下でも一人で楽に作業ができるものである。上記の軸部５０の露出した部分の長さは、第３前後部材１９の厚みよりも長いものとしておく方が望ましい。なお、図は第３前後部材１９のみを示したが、第２前後部材１８、第２中央前後部材３６、第３中央前後部材３７も同様である。また、低い方の第２前後部材１８及び第２中央前後部材３６間に下用ハンガー部材４１を渡すか、高い方の第３前後部材１９及び第３中央前後部材３７間に下用ハンガー部材４１を渡すかは、使用者の好みや体格に応じて選択することができるものである。
【００１７】
次に、図３に示すように、支柱１３の上パイプ１５の上端に突っ張りパイプ１６を接続すると共に、下パイプ１４の上端を上パイプ１５の下端に接続する。なお、前後の第４前後部材２０、第５前後部材２１、第６前後部材２２は、予め上パイプ１５に取り付けられている。同様に、中支柱３２の中下パイプ３３の上端に中上パイプ３４を接続する。なお、出荷段階では、第４中央前後部材３８と第５中央前後部材３９とは、予め中上パイプ３４に固定されている。
【００１８】
次に、図１に示すように、第５前後部材２１及び第６前後部材２２に対して、上用ハンガー部材４２及び棚用部材４５の両端を固定する。この固定についても、図２（Ｂ）と同じ構造となっており、高い位置でも、一人で簡単に組付け作業を行なうことができる。なお、棚用部材４５と上用ハンガー部材４２は、左右に伸縮可能であるため、好みの横幅にラックの大きさを調整することができる。
【００１９】
最後に、下カーテンパイプ５１と上カーテンパイプ５２にカーテンリング５３を通して、それらの両端を、それぞれの左右長さを調整した上で、上パイプ１５と突っ張りパイプ１６の上部に設けられた支持部ｓに固定する。そして、カーテンリング５３にカーテン５４を取り付けて完成となる（図４）。
【００２０】
室内への設置に際しては、上記の完成状態にて、中間リング６２を少し緩めて突っ張りパイプ１６を伸ばして、上下の座６１を床ｆと天井ｃに押しつけて、固定状態とする（図５）。
【００２１】
本願考案は種々変更して実施することができるものであり、例えば、中奥行部材３１を省略して実施することもできる。また、下用ハンガー部材４１の一端は上記の実施の形態の固定構造とするが、他端は通常のねじ止めにすることもできる。凹部２３の形状は、Ｕ字形の他、上部開口２４が大きく開いたＶ字形や、屈曲したＬ字形など、変更して実施することができる。
【符号の説明】
【００２２】
１１  左奥行部材
１２  右奥行部材
１３  支柱
１４  下パイプ
１５  上パイプ
１６  突っ張りパイプ
１７  第１前後部材
１８  第２前後部材
１９  第３前後部材
２０  第４前後部材
２１  第５前後部材
２２  第６前後部材
２３  凹部
２４  上部開口
３１  中奥行部材
３２  中支柱
３３  中下パイプ
３４  中上パイプ
３５  第１中央前後部材
３６  第２中央前後部材
３７  第３中央前後部材
３８  第４中央前後部材
３９  第５中央前後部材
４１  下用ハンガー部材
４２  上用ハンガー部材
４３  左ハンガーパイプ
４４  右ハンガーパイプ
４５  棚用部材
４６  左棚パイプ
４７  右棚パイプ
４８  雄ねじ
４９  頭部
５０  軸部
５１  下カーテンパイプ
５２  上カーテンパイプ
５３  カーテンリング
５４  カーテン
６１  座
６２  中間リング
【図１】
0003164784.tif 000003
【図２】
0003164784.tif 000004
【図３】
0003164784.tif 000005
【図４】
0003164784.tif 000006
【図５】
0003164784.tif 000007